(57)【特許請求の範囲】
【請求項１】
運転席（５）の前側に穀稈を引き起す引起し装置（８）が配置されるコンバインにおいて、該引起し装置（８）の引き起し経路（Ｋ）に沿って上昇する引起しラグ（１４）の上昇軌跡の上方延長線上に、前記引起し装置（８）の後側に架設された左右方向の支軸（１６）を回動支点として上下回動することで前後方向の傾斜姿勢を変更するカバー体（１５）を設け、前記支軸（１６）付近には、該カバー体（１５）を上方回動させた開側の姿勢と該カバー体（１５）を下方回動させた閉側の姿勢とに切り替える引張スプリング（１７）を設け、前記カバー体（１５）を開側の姿勢に切り替え、該カバー体（１５）を前記引起しラグ（１４）の上昇軌跡の上方延長線と交差する方向に姿勢変更して前記引き起し経路（Ｋ）の上方をカバーすることで、該引起しラグ（１４）による前記運転席（５）への穀粒や泥土の飛散を防止する構成としたことを特徴とするコンバイン。
【請求項２】
前記カバー体（１５）を、上面カバー（１５ａ）と後面カバー（１５ｂ）とから側面視で略への字型に形成した請求項１記載のコンバイン。
【請求項３】
前記引起し装置（８）の横側に配置される刈取サイドカバー（１８，１８）を上部サイドカバー（１８ａ）と下部サイドカバー（１８ｂ）とに分割し、上部サイドカバー（１８ａ）の下部を下部サイドカバー（１８ｂ）の上部に対して重合させて配置すると共に、該上部サイドカバー（１８ａ）を前記カバー体（１５）と一体で上下回動する構成とし、該カバー体（１５）と上部サイドカバー（１８ａ）を下方回動させて閉側の姿勢に切り替えることによって、前記下部サイドカバー（１８ｂ）の取り外しがロックされる構成とした請求項１又は請求項２記載のコンバイン。
【請求項４】
前記引起し装置（８）の引起しケース（１２）の上端部前面（１２ｕ）を、該引起しケース（１２）の下部前面よりも傾斜の緩い後上がり傾斜姿勢となるように屈曲形成した請求項１又は請求項２又は請求項３記載のコンバイン。
【発明の詳細な説明】
【技術分野】
【０００１】
この発明は、コンバインに関するものである。
【背景技術】
【０００２】
下記特許文献１に示された従来技術は、運転席の前側に穀稈を引き起す引起し装置が配置されるコンバインにおいて、各引起し装置の上部を左右方向に長いカバー体によって被覆するようにしたものである。
【先行技術文献】
【特許文献】
【０００３】
【特許文献１】特開２００８−２０６４６３号公報
【発明の概要】
【発明が解決しようとする課題】
【０００４】
運転席の前側に接近して穀稈引起し装置を配置したものでは、特に、引き起す穀稈が長稈の場合には、引起しラグによって脱粒された穀粒や穀稈に付着していた泥土が運転席まで飛散し、オペレータに直接当たる問題があった。
【０００５】
本発明の課題は、かかる問題点を解消することを目的とする。
【課題を解決するための手段】
【０００６】
この発明は、上記課題を解決すべく次のような技術的手段を講じた。
【０００７】
すなわち、請求項１記載の発明は、運転席（５）の前側に穀稈を引き起す引起し装置（８）が配置されるコンバインにおいて、該引起し装置（８）の引き起し経路（Ｋ）に沿って上昇する引起しラグ（１４）の上昇軌跡の上方延長線上に、前記引起し装置（８）の後側に架設された左右方向の支軸（１６）を回動支点として上下回動することで前後方向の傾斜姿勢を変更するカバー体（１５）を設け、前記支軸（１６）付近には、該カバー体（１５）を上方回動させた開側の姿勢と該カバー体（１５）を下方回動させた閉側の姿勢とに切り替える引張スプリング（１７）を設け、前記カバー体（１５）を開側の姿勢に切り替え、該カバー体（１５）を前記引起しラグ（１４）の上昇軌跡の上方延長線と交差する方向に姿勢変更して前記引き起し経路（Ｋ）の上方をカバーすることで、該引起しラグ（１４）による前記運転席（５）への穀粒や泥土の飛散を防止する構成としたことを特徴とするコンバインとする。
【０００８】
請求項２記載の発明は、前記カバー体（１５）を、上面カバー（１５ａ）と後面カバー（１５ｂ）とから側面視で略への字型に形成した請求項１記載のコンバインとする。
【０００９】
請求項３記載の発明は、前記引起し装置（８）の横側に配置される刈取サイドカバー（１８，１８）を上部サイドカバー（１８ａ）と下部サイドカバー（１８ｂ）とに分割し、上部サイドカバー（１８ａ）の下部を下部サイドカバー（１８ｂ）の上部に対して重合させて配置すると共に、該上部サイドカバー（１８ａ）を前記カバー体（１５）と一体で上下回動する構成とし、該カバー体（１５）と上部サイドカバー（１８ａ）を下方回動させて閉側の姿勢に切り替えることによって、前記下部サイドカバー（１８ｂ）の取り外しがロックされる構成とした請求項１又は請求項２記載のコンバインとする。
【００１０】
請求項４記載の発明は、前記引起し装置（８）の引起しケース（１２）の上端部前面（１２ｕ）を、該引起しケース（１２）の下部前面よりも傾斜の緩い後上がり傾斜姿勢となるように屈曲形成した請求項１又は請求項２又は請求項３記載のコンバインとする。
【発明の効果】
【００１１】
請求項１記載の発明によれば、引起し時に穀粒や泥土の飛散が多発する場合には、引起し装置（８）の引き起し経路（Ｋ）に沿って上昇する引起しラグ（１４）の上昇軌跡の上方延長線上に設けたカバー体（１５）を、該上方延長線と交差する方向に姿勢変更することで、運転席（５）への穀粒や泥土の飛散を防止することができる。
【００１２】
また、カバー体（１５）を、その回動支点となる支軸（１６）付近に設けた引張スプリング（１７）により、ワンタッチで開閉することができる。
【００１３】
即ち、カバー体（１５）の傾斜姿勢は、引起し装置（８）の後側に架設された左右方向の支軸（１６）回りの回動で変更され、引張スプリング（１７）の張力で切り替えられるため、このカバー体（１５）の傾斜姿勢の変更操作がワンタッチで簡単に行える。
【００１４】
そして、カバー体（１５）を上方に回動させた場合には、運転席（５）側への穀粒や泥土の飛散を阻止できるものでありながら、引起しケースの前側カバーの着脱が簡単に行え、引起し装置（８）のメンテナンスを容易に行うことができる。
【００１５】
請求項２記載の発明によれば、上記請求項１記載の発明の効果を奏するうえに、カバー体（１５）が側面視で略への字型に形成されているので、上方及び後方上方への穀粒や泥土の飛散を阻止することができ、運転席（５）への飛散を確実に防止することができる。
【００１６】
請求項３記載の発明によれば、上記請求項１または請求項２記載の発明の効果を奏するうえに、上部サイドカバー（１８ａ）は、カバー体（１５）と共に上方へ揺動させることができるので、この上部サイドカバー（１８ａ）の下部に重合した下部サイドカバー（１８ｂ）の着脱が簡単に行え、刈取部のメンテナンスを容易に行うことができる。
【００１７】
また、カバー体（１５）と上部サイドカバー（１８ａ）を下方回動させて閉側の姿勢変更状態に切り替えることによって、下部サイドカバー（１８ｂ）の取り外しをロックすることができる。
【００１８】
請求項４記載の発明によれば、請求項１または請求項２または請求項３記載の発明の効果を奏するうえに、オペレータは運転席（５）に着座したままで引起し装置（８）の引起し始端側（下端側）における分草位置を直視でき、分草引起し状況の確認を容易に行うことができ、刈取作業の能率を高めることができる。
【図面の簡単な説明】
【００１９】
【図１】コンバインの側面図
【図２】コンバイン要部の正面図
【図３】刈取部の要部の側面図
【図４】引起し装置の要部の斜視図
【図５】引起し装置の要部の側面図
【図６】同上要部の側面図
【図７】同上要部の側面図
【図８】同上要部の側面図
【図９】刈取部の要部の側面図
【図１０】同上要部の平面図
【図１１】揚上搬送供給装置の平面図
【図１２】同上要部のロック装置の側面図
【図１３】同上要部の背面図
【図１４】同上一部の背面図
【図１５】刈取の要部の平面図
【図１６】同上要部の左側面図
【図１７】同上要部の穂先案内カバーの正面図
【図１８】穂先案内カバーの右側面図
【発明を実施するための形態】
【００２０】
この発明の実施例を図面に基づき説明する。
図１及び図２は、コンバインを示すものであり、この走行車体１には、左右一対の走行クローラ２，２を備え、後部に搭載した脱穀装置３の前方部に刈取部４を設置し，刈取部４の横側部には運転席５や操作ボックス６等の運転操作部を備え、更に、その運転操作部の後方には脱穀粒を一時的に貯留するグレンタンクＧを装備している。
【００２１】
刈取部４は、植立する穀稈を左右に分草する分草体７，７…と、分草後の穀稈を引き起す４条の穀稈引起し装置８，８，８，８と、引起し後の穀稈を刈り取る刈取装置９と、刈取後の穀稈を掻込搬送する掻込搬送装置１０，掻込搬送後の穀稈を引き継いで揚上搬送しながら姿勢変更して脱穀装置に受け渡し供給する揚上搬送供給装置１１等からなり、車体に対し上下に昇降可能に装備している。
【００２２】
穀稈引起し装置８は、引起しチェンを内装し前後に分割可能な前後の引起しケース１２，１３と引起しケースから引起し経路Ｋ側に突出して穀稈を引き起す引起しラグ１４とからなる。前側引起しケース１２は、後側引起しケース１３に対し着脱自在に取り付けできる構成としてあり、上方に引き上げると係止ロック状態が解除され前側に取り出しできるようになっている。各前側引起しケース１２２，１２，…の上端側１２ｕは、下端側傾斜よりも更に後方傾斜（垂直面に対して下端側の傾斜角よりも上端側の後傾斜角が大きく）となるよう屈曲形成されていて、着座姿勢での作業における分草位置近傍の視界が良好となり、起立姿勢での作業においては分草位置が良く見えるように構成している。
そして、各引起し装置８の上部は、左右横方向に長く構成されたカバー体１５によって被覆される構造になっている。
【００２３】
カバー体１５は、上面カバー１５ａと後面カバー１５ｂとからなるように側面視で略への字型に形成され、引起し装置８の引き起し経路Ｋに沿って上昇する引起しラグ１４の上昇軌跡の上方延長線上に配置し、前側引起しケース１２の上端側１２ｕ前面をカバーする状態と、上昇移行する引起しラグ１４における引起し経路Ｋの上方をカバーする状態とに、前後方向の傾斜姿勢を変更自在に構成されている。そして、このカバー体１５の姿勢変更手段として、前後上下のスライド構成とすることもできるが、本実施例では、該カバー体１５が引起し装置８の背部側で左右横方向に架設された支軸１６を回動支点として上下に揺動開閉するよう揺動開閉自在に構成されている。カバー体１５の上方への開側が引起し経路Ｋの上方をカバーする姿勢変更状態であり、下方への閉側が前側引起しケース１２の上端側１２ｕ前面をカバーする姿勢変更状態となる。カバー体１５の開閉は、回動支点付近に設けた引張スプリング１７により、支軸１６の支点に対してスプリング張力方向を閉側と開側とに切り替え可能な構成になっていて、ワンタッチで揺動開閉することができる。
【００２４】
各引起し装置８の左右両サイドに配置された刈取サイドカバー１８，１８は、上部サイドカバー１８ａと下部サイドカバー１８ｂとに分割され、上部サイドカバー１８ａは、下部サイドカバー１８ｂに対して上側面及び外側面上に重合し、前記カバー体１５と一体的に形成され、該カバー体と共に上下に揺動開閉可能に構成されている。
【００２５】
カバー体１５及び上部サイドカバー１８ａを上方に開動させないと、前側引起しケース１２及び下部サイドカバー１８ｂの取り外しができなく、下方への閉動によってロック機構の役目を果たす構造になっている。
【００２６】
図９、図１０に示すように、刈取部４を支持する刈取メインフレーム２１は、刈取懸架台２２に架設された刈取入力軸２３を支点として上下に回動する構成であり、刈取昇降シリンダ２４の伸縮作動により刈取部４が昇降するようになっている。刈取メインフレーム２１の変速ギヤケース２６位置よりも下方の中央部と、刈取入力軸２３の軸受部との間をＬ型補強フレーム２７で連結して強化し、衝突による捩れ、破損を防止するように構成している。また、補強フレーム２７の内側に昇降シリンダ２４の取付部及びフローティングスプリング２５の設置部を設けておくと、衝突時の捩れ応力によるシリンダ・フローティングスプリングの変形、破損を防止することができる。各操作ワイヤ・ハーネス・ホース等の配策部２８を刈取メインフレーム２１から補強フレーム２７に沿わせることにより、上下回動時の屈曲、各部への干渉を防止することができる。また、前記Ｌ型補強フレーム２７は、刈取メインフレーム２１と側面視で平行とし、そして、この補強フレーム２７と刈取メインフレーム２１との間には、供給上下モータ２９により揚上搬送供給装置１１の始端側を上下動させる上下リンク３０を介装することで、上下リンクの保護を図るようにしている。
【００２７】
図１１に示された揚上搬送供給装置１１は、引継ぎ部で刈取穀稈が詰まった時、穂先搬送ラグ２０付穂先搬送装置１９の始端側に対設された供給スターホイル３１の支持部３２が供給穂先フレーム３３に対してワンタッチで脱着できるように構成されたものである。
つまり、ロックレバー３４を固定位置から支点Ｐを中心として９０°回すと、鍵型プレート３５（図１２）が段付ピン３６（図１４）から外れてロック状態が解除され、ホイル支持部３２を簡単に取外すことができる。また、ホイル支持部を取り付ける際には、ロックレバー３４をロック解除位置から上記とは反対方向に９０°回すと、鍵型プレート３５が段付ピン３６の段部に入り込んでロックされることになる。なお、かかる実施例では、ロックレバー３４の支点部にカムピン３７によるロック手段を設けることによって、鍵型プレート３５によるロック手段と合わせて２箇所でロックする構成としている。ロックレバー支点部でのロックは、ロックレバーを回すとバネ３８が収縮し、カムピン３７が入ってロックされるようになっている。
【００２８】
また、前記揚上搬送供給装置１１は、始端側が終端側を支点として上下に揺動変位可能に構成され、穀稈の長短に応じて扱ぎ深さを変更調節するようになっている。
図１５に示すように、左右両サイドの引起し装置８Ｌ，８Ｒに対し、中央側に位置する引起し装置８Ｃｌ，８Ｃｒの背部には、引起し後の左側２条分の穀稈と右側２条分の穀稈の穂先側を凭せかけた状態で後方に案内する案内面４０ａ，４０ｂを有した穂先案内カバー４０が設けられている。穂先案内カバー４０は、上下に分割されていて、下側案内カバーの右側中央端部には穂先搬送装置１９の穂先搬送ラグ２０の先端移動軌跡が該案内カバーにごく接近するよう凹状に窪んだ凹陥部４０Ｃを設けた構成としている。これによれば、穂先搬送ラグが穂先案内カバーに接近して移動するため、該案内カバーにより案内されてくる穀稈の穂先側部を確実に捉えて搬送することができ、稈こぼれが全くなくなる。
【符号の説明】
【００２９】
５    運転席
８    穀稈引起し装置
１２    引起しケース
１２ｕ  前側引起しケースの上端側前面
１４    引起しラグ
１５    カバー体
１５ａ  上面カバー
１５ｂ  後面カバー
１６    支軸
１７ 引張スプリング
１８    刈取サイドカバー
１８ａ  上部サイドカバー
１８ｂ 下部サイドカバー
Ｋ 引き起し経路
【図１】
0005560735.tif 000002
【図２】
0005560735.tif 000003
【図３】
0005560735.tif 000004
【図４】
0005560735.tif 000005
【図５】
0005560735.tif 000006
【図６】
0005560735.tif 000007
【図７】
0005560735.tif 000008
【図８】
0005560735.tif 000009
【図９】
0005560735.tif 000010
【図１０】
0005560735.tif 000011
【図１１】
0005560735.tif 000012
【図１２】
0005560735.tif 000013
【図１３】
0005560735.tif 000014
【図１４】
0005560735.tif 000015
【図１５】
0005560735.tif 000016
【図１６】
0005560735.tif 000017
【図１７】
0005560735.tif 000018
【図１８】
0005560735.tif 000019